(57)【要約】【課題】シールド部材を帽体から取り外すことが容易であるヘルメットを提供する。【解決手段】帽体３とシールド部材５とシールド部材ガイド体７とシールド部材設置体９とを有し、シールド部材設置体９には操作部１１が設けられており、シールド部材設置体９によってシールド部材５がシールド部材ガイド体７に設置されている状態では、操作部１１がシールド部材ガイド体７よりも内側に突出しており、この突出している操作部１１を着用者が操作することで、シールド部材５がシールド部材ガイド体７およびシールド部材設置体９から取り外しできる取り外し可能状態になるように構成されているヘルメット１である。【選択図】図２
2014159659.tif 000002
【特許請求の範囲】
【請求項１】
帽体と、
透明体もしくは半透明体で構成されたシールド部材と、
前記帽体の内側で前記帽体に一体的に設置されたシールド部材ガイド体と、
前記帽体内に収容される収容位置から着用者の顔面の少なくとも一部を覆う被覆位置まで、前記シールド部材が前記シールド部材ガイド体にガイドされて移動するように、前記シールド部材と前記シールド部材ガイド体とに係合して、前記シールド部材を前記シールド部材ガイド体に設置するシールド部材設置体と、
を有し、前記シールド部材設置体には操作部が設けられており、前記シールド部材設置体によって前記シールド部材が前記シールド部材ガイド体に設置されている状態では、前記操作部が前記シールド部材ガイド体よりも内側に突出しており、この突出している前記操作部を着用者が操作することで、前記シールド部材が前記シールド部材ガイド体および前記シールド部材設置体から取り外しできる取り外し可能状態になるように構成されていることを特徴とするヘルメット。
【請求項２】
請求項１に記載のヘルメットにおいて、
前記シールド部材ガイド体には、前記シールド部材設置体によって前記シールド部材が前記シールド部材ガイド体に設置されている状態で前記シールド部材設置体を覆うカバー部が設けられていることを特徴とするヘルメット。
【請求項３】
請求項１または請求項２に記載のヘルメットにおいて、
前記シールド部材ガイド体の内側にはハンモックが設けられており、前記シールド部材が前記被覆位置に位置しているときに、前記帽体と前記ハンモックとの間の間隙を通して着用者が前記操作部を操作できるように構成されていることを特徴とするヘルメット。
【請求項４】
請求項１〜請求項３のいずれか１項に記載のヘルメットにおいて、
前記シールド部材設置体には、弾性アームが設けられており、前記操作部を前記着用者が操作して前記操作部に所定方向の力を加えることで、前記弾性アームに捻りモーメントが発生して前記弾性アームが弾性変形し、前記シールド部材が前記シールド部材ガイド体および前記シールド部材設置体から取り外しできる取り外し可能状態になるように構成されていることを特徴とするヘルメット。
【請求項５】
請求項１〜請求項３のいずれか１項に記載のヘルメットにおいて、
前記シールド部材設置体には、弾性アームが設けられており、前記弾性アームには、前記シールド部材を前記シールド部材ガイド体と前記シールド部材設置体とに設置するためのつめであって前記設置をしたときに前記シールド部材に係合するつめが設けられており、前記設置がされているシールド部材が外れにくいようにするために、前記つめが２段折れ形状になっていることを特徴とするヘルメット。
【請求項６】
請求項５のいずれか１項に記載のヘルメットにおいて、
前記操作部を前記着用者が操作して前記操作部に所定方向の力を加えることで、前記弾性アームに捻りモーメントが発生して前記弾性アームが弾性変形し、前記シールド部材が前記シールド部材ガイド体および前記シールド部材設置体から取り外しできる取り外し可能状態になるように構成されていることを特徴とするヘルメット。
【請求項７】
請求項１〜請求項６のいずれか１項に記載のヘルメットにおいて、
前記シールド部材設置体によって前記シールド部材が前記シールド部材ガイド体に設置されている状態から、前記操作部を着用者が操作することで前記シールド部材を前記シールド部材ガイド体および前記シールド部材設置体から取り外したときでも、前記シールド部材設置体が前記シールド部材ガイド体に係合し続けるように構成されていることを特徴とするヘルメット。
【発明の詳細な説明】
【技術分野】
【０００１】
本発明は、保護帽に係り、特に、顔面を覆うシールド部材が設けられているものに関する。
【背景技術】
【０００２】
従来、シールド部材に一体で設けられているスライド脚をガイド板に設けられている案内溝に通し、スライド脚の先端に平板状のロック部材を係合させることで、シールド部材を帽体に設置している保護帽が知られている（たとえば、特許文献１参照）。
【０００３】
シールド部材が帽体に設置された状態では、シールド部材とロック部材との間にガイド板が存在しており、帽体に設置されたシールド部材は、帽体内に収容される収容位置と、帽体内から突出して保護帽の着用者の顔面を覆う被覆位置との間で移動自在になっている。
【０００４】
スライド脚の先端にロック部材を係合させるときには、ロック部材の一部が弾性変形し、スライド脚の先端にロック部材を係合し終えたときは、ロック部材の上記一部が復元するいわゆるスナップロックがなされている。
【先行技術文献】
【特許文献】
【０００５】
【特許文献１】特開２０１１−８９２１９号公報
【発明の概要】
【発明が解決しようとする課題】
【０００６】
しかしながら、上記従来の保護帽は、平板状の着脱可能なロック部材をスライド脚に係合させている。しかし、ロック部材がシールド部材ガイド体から外れてしまうためシールド交換の際、ロック部材を無くなってしまったり、装着する際にロック部材を所定の位置に合わせずらい等、操作がし難くなっている。そのため、交換や清掃等のためにシールド部材を帽体（ガイド板）から着脱の操作が容易ではないという問題がある。
【０００７】
また、シールド部材には、スライド脚が一体構成されているため、光学面と摺動面の両機能を合わせ持たせる必要があり、複雑な形状を取ることになる。
【０００８】
さらに、上記従来の保護帽では、帽体の内側（ガイド板よりも内側）に、衝撃吸収ライナ、内装体（ハンモック）、耳紐が設けられており、ロック部材の操作をするためには、それらのものを一旦保護帽から取り外す必要があり、シールド部材を帽体（ガイド板）から取り外すことが一層困難になっている。
【０００９】
本発明は、上記問題点に鑑みてなされたものであり、帽体に出入り自在のシールド部材を備えた保護帽（ヘルメット）において、簡易形状のシールド部材を帽体（ガイド板）から取り付け取り外しすることが容易であることに加え、スライド脚がシールド部材ガイド体から脱落しづらいものを提供することを目的とする。
【課題を解決するための手段】
【００１０】
請求項１に記載の発明は、帽体と、透明体もしくは半透明体で構成されたシールド部材と、前記帽体の内側で前記帽体に一体的に設置されたシールド部材ガイド体と、前記帽体内に収容される収容位置から着用者の顔面の少なくとも一部を覆う被覆位置まで、前記シールド部材が前記シールド部材ガイド体にガイドされて移動するように、前記シールド部材と前記シールド部材ガイド体とに係合して、前記シールド部材を前記シールド部材ガイド体に設置するシールド部材設置体とを有し、前記シールド部材設置体には操作部が設けられており、前記シールド部材設置体によって前記シールド部材が前記シールド部材ガイド体に設置されている状態では、前記操作部が前記シールド部材ガイド体よりも内側に突出しており、この突出している前記操作部を着用者が操作することで、前記シールド部材が前記シールド部材ガイド体および前記シールド部材設置体から取り外しできる取り外し可能状態になるように構成されている特徴とするヘルメットである。
【００１１】
請求項２に記載の発明は、請求項１に記載のヘルメットにおいて、前記シールド部材ガイド体には、前記シールド部材設置体によって前記シールド部材が前記シールド部材ガイド体に設置されている状態で前記シールド部材設置体を覆うカバー部が設けられているヘルメットである。
【００１２】
請求項３に記載の発明は、請求項１または請求項２に記載のヘルメットにおいて、前記シールド部材ガイド体の内側にはハンモックが設けられており、前記シールド部材が前記被覆位置に位置しているときに、前記帽体と前記ハンモックとの間の間隙を通して着用者が前記操作部を操作できるように構成されているヘルメットである。
【００１３】
請求項４に記載の発明は、請求項１〜請求項３のいずれか１項に記載のヘルメットにおいて、前記シールド部材設置体には、弾性アームが設けられており、前記操作部を前記着用者が操作して前記操作部に所定方向の力を加えることで、前記弾性アームに捻りモーメントが発生して前記弾性アームが弾性変形し、前記シールド部材が前記シールド部材ガイド体および前記シールド部材設置体から取り外しできる取り外し可能状態になるように構成されているヘルメットである。
【００１４】
請求項５に記載の発明は、請求項１〜請求項３のいずれか１項に記載のヘルメットにおいて、前記シールド部材設置体には、弾性アームが設けられており、前記弾性アームには、前記シールド部材を前記シールド部材ガイド体と前記シールド部材設置体とに設置するためのつめであって前記設置をしたときに前記シールド部材に係合するつめが設けられており、前記設置がされているシールド部材が外れにくいようにするために、前記つめが２段折れ形状になっているヘルメットである。
【００１５】
請求項６に記載の発明は、請求項５のいずれか１項に記載のヘルメットにおいて、前記操作部を前記着用者が操作して前記操作部に所定方向の力を加えることで、前記弾性アームに捻りモーメントが発生して前記弾性アームが弾性変形し、前記シールド部材が前記シールド部材ガイド体および前記シールド部材設置体から取り外しできる取り外し可能状態になるように構成されているヘルメットである。
【００１６】
請求項７に記載の発明は、請求項１〜請求項６のいずれか１項に記載のヘルメットにおいて、前記シールド部材設置体によって前記シールド部材が前記シールド部材ガイド体に設置されている状態から、前記操作部を着用者が操作することで前記シールド部材を前記シールド部材ガイド体および前記シールド部材設置体から取り外したときでも、前記シールド部材設置体が前記シールド部材ガイド体に係合し続けるように構成されているヘルメットである。
【発明の効果】
【００１７】
本発明によれば、帽体に出入り自在のシールド部材を備えた保護帽（ヘルメット）において、シールド部材を帽体（ガイド板）から取り外すことが容易であるものを提供することができるという効果を奏する。
【図面の簡単な説明】
【００１８】
【図１】本発明の実施形態に係る保護帽であって、シールド部材が被覆位置に位置しているものの斜視図である。
【図２】本発明の実施形態に係る保護帽の断面図である。
【図３】本発明の実施形態に係る保護帽（シールド部材が被覆位置に位置しているとともにハンモックが取り外された保護帽）を下方から見た図であって、カバー部がシールド部材設置体を覆っている状態を示す図である。
【図４】図３の状態からカバー部を移動してシールド部材設置体を露出させた状態を示す図である。
【図５】図４の状態からシールド部材を収容位置に移動した状態を示す図である。
【図６】シールド部材ガイド体の展開図である。
【図７】シールド部材設置体の斜視図である。
【図８】（ａ）はシールド部材設置体の正面図であり、（ｂ）は（ａ）におけるＶＩＩＩＢ矢視図であり、（ｃ）は（ａ）におけるＶＩＩＩＣ矢視図であり、（ｄ）は（ａ）におけるＶＩＩＩＤ矢視図であり、（ｅ）は（ｄ）におけるＶＩＩＩＥ矢視図である。
【図９】シールド部材の斜視図である。
【図１０】シールド部材設置体を用いてシールド部材ガイド体にシールド部材を設置する直前の状態を、斜め前方から見た斜視図である。
【図１１】シールド部材設置体を用いてシールド部材ガイド体にシールド部材を設置し終えた状態を、斜め前方から見た斜視図である。
【図１２】帽体を下方から見た図である。
【図１３】本発明の実施形態に係る保護帽（シールド部材が被覆位置に位置しているとともにハンモックが設置されている保護帽）を下方から見た図であって、カバー部がシールド部材設置体を覆っている状態を示す図である。
【図１４】図１３の状態からカバー部を移動してシールド部材設置体を露出させた状態を示す図である。
【図１５】変形例に係るシールド部材設置体の斜視図である。
【図１６】（ａ）は変形例に係るシールド部材設置体の正面図であり、（ｂ）は（ａ）におけるＸＶＩＢ矢視図であり、（ｃ）は（ａ）におけるＸＶＩＣ矢視図であり、（ｄ）は（ａ）におけるＸＶＩＤ矢視図であり、（ｅ）は（ａ）におけるＸＶＩＥ矢視図である。
【図１７】（ａ）は図１６（ｅ）におけるＸＶＩＩＡ−ＸＶＩＩＡ断面を示す図であり、（ｂ）は図１６（ｅ）におけるＸＶＩＩＢ矢視図である。
【図１８】変形例に係るシールド部材設置体のつめの変形例を示す図であって、図１７（ａ）のＸＶＩＩＩ部を拡大した図である。
【発明を実施するための形態】
【００１９】
本発明の実施形態に係る保護帽（ヘルメット）１は、図１、図２、図４等で示すように、帽体３とシールド部材（シールド板）５とシールド部材ガイド体７とシールド部材設置体（ロック部材）９とを備えて構成されている。
【００２０】
帽体３は半球殻状に形成されている。シールド部材５は透明体もしくは半透明体で湾曲した板状に形成されている。シールド部材ガイド体７は、板状に形成されており、帽体３の内側でシールド部材５を支持する中央の部位（本体部３９）が帽体３から僅かに離れて帽体３に一体的に設置されている。
【００２１】
シールド部材設置体９は、シールド部材５とシールド部材ガイド体７とに係合して、シールド部材５をシールド部材ガイド体７に設置するように構成されている。シールド部材設置体９によってシールド部材ガイド体７（帽体３）に設置されたシールド部材５は、収容位置Ｐ２（図２、図５等参照）から被覆位置Ｐ１（図２、図３等参照）まで、また、被覆位置Ｐ１から収容位置Ｐ２まで、シールド部材ガイド体７にガイドされ帽体３内面の円弧状の曲面に沿って移動（ほぼ上下方向に移動）するようになっている。すなわち、シールド部材５が帽体３に出入り自在になっている。
【００２２】
収容位置Ｐ２に位置しているとき、シールド部材５は帽体３内で帽体３とシールド部材ガイド体７との間に収容されている。被覆位置Ｐ１に位置しているとき、シールド部材５は、この少なくとも一部（ごくわずかな上側の部位を残したほとんどの下側の部位）が帽体３内から突出しこの突出した部位が着用者の顔面の少なくとも一部（たとえば目を含む鼻より上方の部位；着用者の顔面の総てでもよい。）を覆っている。
【００２３】
シールド部材設置体９には操作部１１が設けられている。シールド部材設置体９によってシールド部材５がシールド部材ガイド体（帽体３内に設置されているシールド部材ガイド体）７に設置されている状態（シールド部材設置完了状態）では、操作部１１がシールド部材ガイド体７よりも内側（帽体３内で帽体３の中心側；帽体３内でシールド部材ガイド体７を間にして帽体３とは反対側；着用者の頭部側）に突出している。
【００２４】
そして、突出している操作部１１をたとえば保護帽１の着用者が指で操作することで、シールド部材５がシールド部材ガイド体７およびシールド部材設置体９から取り外しできる取り外し可能状態になるように構成されている。
【００２５】
シールド部材設置体９は、板状のシールド部材５の一部と板状のシールド部材ガイド体７の一部とを挟み込んで、シールド部材５とシールド部材ガイド体７とに係合している。
【００２６】
また、シールド部材設置体９は、シールド部材設置体９によってシールド部材５がシールド部材ガイド体７に設置されている状態（シールド部材設置完了状態）ではもちろんのこと、操作部１１を着用者が操作することでシールド部材５がシールド部材ガイド体７およびシールド部材設置体９から取り外しできる取り外し可能状態になっても、シールド部材ガイド体７から離れることなくシールド部材ガイド体７に係合し続けており、さらに、シールド部材５がシールド部材ガイド体７およびシールド部材設置体９から取り外しされた状態でも、シールド部材ガイド体７に係合し続けるように構成されている。
【００２７】
なお、シールド部材ガイド体７やシールド部材設置体９から分離されているシールド部材５を、シールド部材設置体９を用いてシールド部材ガイド体７に設置するときには、操作部１１の操作が不要であるように構成されている。
【００２８】
また、シールド部材ガイド体７には、シールド部材設置体９によってシールド部材５がシールド部材ガイド体７に設置されている状態（シールド部材設置完了状態）でシールド部材設置体９を覆うカバー部１３が設けられている。
【００２９】
カバー部１３は、シールド部材設置完了状態で、シールド部材設置体９を覆う被覆位置Ｐ３（図３等参照）からシールド部材設置体９の操作部１１が露出する退避位置Ｐ４（図４等参照）まで、また、退避位置Ｐ４から被覆位置Ｐ３まで移動させることができるように構成されている。カバー部１３が退避位置Ｐ４に位置している状態では、操作部１１が露出して着用者が操作部１１を操作できるように構成されている。
【００３０】
なお、たとえば、保護帽１には、球殻状の衝撃吸収ライナは設けられていない。シールド部材ガイド体７（帽体３）の内側で、ハンモック１５が帽体３に一体的に設けられている（図２、図１３等参照）。
【００３１】
そして、シールド部材設置完了状態でシールド部材５が被覆位置Ｐ１に位置しているときに、帽体３とハンモック１５との間の間隙１７（図１４参照）によって操作部１１が露出しており、ハンモック１５を取り外すことなく、間隙１７の指を挿入することで着用者が操作部１１を操作できるように構成されている。
【００３２】
シールド部材設置体９には、弾性アーム（弾性アーム部）１９が設けられている。操作部１１を着用者が指で操作して操作部１１に所定方向の力（図８（ｃ）の矢印Ａ１参照）を加えることで、弾性アーム１９に捻りモーメント（図８（ｃ）の矢印Ａ２参照）が発生して弾性アーム１９が弾性変形するようになっている。
【００３３】
上記弾性変形により、シールド部材５がシールド部材ガイド体７およびシールド部材設置体９から取り外しできる取り外し可能状態になるように構成されている。
【００３４】
詳しく説明する。以下、保護帽１（帽体３、シールド部材５、シールド部材ガイド体７等）における各方向を、左右方向、前後方向、上下方向とし、「右」、「左」、「上」、「下」、「前」、「後」という文言を使用して説明する場合がある。上記各方向は、保護帽を起立（直立）している着用者が被った場合における方向である。
【００３５】
シールド部材５は、図９等で示すように、シールド部材本体部２１とこのシールド部材本体部２１の上端から上方に突出している被係止部（たとえば複数の被係止部）２３とを備えて、厚さ方向の突出物が特に被係止部２３のところにおいて非存在である板状に形成されている。すなわち、被係止部２３の厚さ方向の一方の面（前側の面）は、シールド部材本体部２１の厚さ方向の一方の面（前側の面）に、連続して滑らかな段差の無い状態でつながっている。被係止部２３の厚さ方向の他方の面（後側の面）も、シールド部材本体部２１の厚さ方向の他方の面（後側の面）に、連続して滑らかな段差の無い状態でつながっている。
【００３６】
シールド部材ガイド体７は板状に形成されており、シールド部材ガイド体７には、この厚さ方向を貫通して上下方向に延びた細長貫通孔（スリット孔；たとえば複数の細長貫通孔）２５が設けられている（図６等参照）。
【００３７】
シールド部材ガイド体７が帽体３に設置された状態では、シールド部材ガイド体７が帽体３の形状に沿った弾性変形し、帽体３の肉部の厚さ方向とシールド部材ガイド体７の厚さ方向とがお互いにほぼ一致している。
【００３８】
シールド部材設置体９は、図８等で示すように、板状のベース部２７と、このベース部２７の厚さ方向の一方の面（前側の面）から突出している壁部（たとえば複数の壁部）２９と、この壁部２９の先端に設けられた押さえ部３１と、ベース部２７の一部で形成された弾性アーム（たとえば一対の弾性アーム）１９とを備えて構成されている。弾性アーム１９の先端部には、操作部１１とシールド部材着脱係合部３３とが設けられている。
【００３９】
シールド部材設置体９によってシールド部材５がシールド部材ガイド体７に設置されている状態（シールド部材設置完了状態）では、シールド部材ガイド体７の厚さ方向とベース部２７の厚さ方向とシールド部材５の厚さ方向とがお互いに一致している。
【００４０】
また、シールド部材設置完了状態では、図２や図４や図１１等で示すように、ベース部２７がシールド部材ガイド体７の内側（後側）に位置しており、壁部２９が細長貫通孔２５を通って壁部２９の先端部と押え部３１とがシールド部材ガイド体７と帽体３との間に位置している。
【００４１】
そして、シールド部材ガイド体７がベース部２７側（後側）に位置しシールド部材５の被係止部２３が帽体３側（前側）に位置するようにして、ベース部２７と押え部３１とでシールド部材ガイド体７とシールド部材５の被係止部２３とをシールド部材ガイド体７の厚さ方向（前後方向）で挟み込んでおり、壁部２９とシールド部材着脱係合部３３とでシールド部材５の被係止部２３を細長貫通孔２５の延伸方向で挟み込んでいる。また、壁部２９で、細長貫通孔２５の間の部位（シールド部材ガイド体７の部位）とシールド部材５の被係止部２３とを左右方向で挟み込んでいる。これにより、壁部２９が細長貫通孔２５内を移動し、シールド部材５とシールド部材設置体９とがシールド部材ガイド体７に対して、細長貫通孔２５の延伸方向でのみ移動するようになっている。
【００４２】
なお、シールド部材ガイド体７の本体部３９に設けられている細長貫通孔２５を貫通して細長貫通孔２５に係合しているシールド部材設置体９の壁部２９は、シールド部材５をシールド部材ガイド体７に対してスライドさせるためのスライド脚になっている。
【００４３】
シールド部材設置体９によってシールド部材５がシールド部材ガイド体７に設置されている状態で、操作部１１に力を加える操作をすると、上述しまた図８（ｃ）で示したように、弾性アーム１９に捻りモーメントが発生して弾性アーム１９が弾性変形し、シールド部材着脱係合部３３が移動し、壁部２９とシールド部材着脱係合部３３とによるシールド部材５の被係止部２３の挟み込み（細長貫通孔２５の延伸方向での挟み込み）が解除され、シールド部材５の取り外しができるように構成されている。
【００４４】
ここで、保護帽１について、さらに、詳しく説明する。なお、保護帽１はほぼ左右対称に形成されている。
【００４５】
帽体３は、帽体３は、着用者の頭部を覆って保護するためのものであり、たとえば、硬い樹脂等の材料で一体成形されて、椀状（たとえば、半球殻状）に形成されている。
【００４６】
ここで、半球殻とは、所定の半径の第１の球から、この第１の球の半径よりも僅かに小さい半径で前記第１の球と中心が一致する第２の球を取り除いた形状の立体を、前記各球の中心もしくはこの近傍を通る平面で２分割したときに形成される一方の立体である。
【００４７】
帽体３は、「半球殻状」に形成されているのであって、完全な「半球殻」形状に形成されているわけではない。すなわち、帽体３は、着用者の頭部の形状に合うようにするために、曲率半径が適宜変化している形状に形成されている。また、帽体３の開口部（淵；下側の端）９も、完全な円形ではなく、着用者の頭部の形状に合うようにするために、曲率半径が適宜変化している円形状に形成されている。
【００４８】
帽体３が半球殻状に形成されていることにより、帽体３の外面および内面は、急な曲がり部分が存在しない滑らかな球面状になっている。また、帽体３が半球殻状に形成されていることにより、直立している着用者が保護帽１を被った場合、帽体３の開口部３５は、ほぼ水平になっており、開口部３５は、着用者の耳（図示せず）よりも僅かに上側に位置している。
【００４９】
帽体３の開口部３５近傍前側の内面には、図１２で示すように、薄い板状の低摩擦部材３７が貼り付いた態様で設けられている。低摩擦部材３７は、シールド部材設置完了状態でシールド部材５が移動するときに、シールド部材５が接触して摺動し、シールド部材５がガイドされるようになっている。
【００５０】
また、帽体３の開口部３５近傍の適宜の内面の箇所には、シールド部材ガイド体７を帽体３の固定するための係止部３６が設けられている。
【００５１】
シールド部材５も樹脂等の材料で一体成形されている。シールド部材本体部２１は、湾曲した板状に形成されており、上下方向の寸法が左右方向の両端部に向かうにしたがって次第に小さくなっている。また、保護帽１を着用者が被りシールド部材５を被覆位置Ｐ１に位置させた状態では、シールド部材本体部２１は厚さ方向が前後方向になっており、前側に凸な状態で湾曲している。そして、着用者の顔の目を含む鼻から上の部分を覆っている。また、保護帽１を着用者が被りシールド部材５を被覆位置Ｐ１に位置させた状態を前側から見ると、左右方向でシールド部材本体部２１が着用者の顔の鼻から上の部位全体を覆っている。なお、被覆位置Ｐ１に位置している場合であってもシールド部材本体部２１の上端の僅かな部位と被係止部２３とは、帽体３内に存在している。
【００５２】
シールド部材５を収容位置Ｐ２に位置させた状態では、シールド部材５は、帽体３内に存在しており、シールド部材５の下端縁が、帽体３の開口部３５の前側の縁の近傍に存在している。
【００５３】
シールド部材５の被係止部２３は、一対で設けられている。一方の被係止部（左側の被係止部）２３Ａは、矩形状の基端側部位２４と直角三角形状の先端側部位２２とを備えて構成されている。
【００５４】
先端側部位２２の幅（左右方向の寸法）は、基端側部位２４側で大きく基端側部位２４から離れるにしたがって次第に小さくなっている。基端側部位２４と接している箇所の先端側部位２２の幅は、直角三角形状の底辺の長さに相当しており、基端側部位２４の幅よりも広くなっている。
【００５５】
左側の被係止部２３Ａの右端縁は直線状になって上下方向に延伸しており、左側の被係止部２３Ａの左端縁の形状によって、上述した幅（左右方向の寸法）の変化が左側の被係止部２３Ａに発生している。
【００５６】
右側の被係止部２３Ｂは、左右方向でシールド部材５に対して左側の被係止部２３Ａと対称になっている。また、各被係止部２３Ａ，２３Ｂは、お互いが僅かに離れている。
【００５７】
シールド部材ガイド体７も樹脂等の材料で板状に一体成形されている。図６は、帽体３から取り外されているシールド部材ガイド体７をこの厚さ方向から見た図である。なお、シールド部材ガイド体７は、帽体３に設置される前は、ほぼ平板状になっているが、帽体３に設置されることで弾性変形し、帽体３の内面に沿った形状に湾曲している。
【００５８】
シールド部材ガイド体７は、本体部３９と帯状部４１とカバー部１３とを備えて構成されている。本体部３９は左右方向の中央部での上下方向の寸法が、シールド部材５の中央部での上下方向の寸法よりもやや大きくなっており、左右方向の両端に向かうにしたがって、上下方向の寸法が次第に小さくなっている。
【００５９】
帯状部４１は、上下方向の寸法が、本体部３９は左右方向の両端の上下方向の寸法と同程度な細長いく矩形状になっている。帯状部４１は、一対で設けられており、左側の帯状部４１は、本体部３９の左端から左方に長く延びて突出しており、右側の帯状部４１は、本体部３９の右端から右方に長く延びて突出している。
【００６０】
カバー部１３は、連結部４３を介して本体部３９につながっている。連結部４３は、左右方向の寸法がカバー部１３よりも小さい矩形状に形成されている。連結部４３とカバー部１３とは本体部３９の上側で本体部３９の上方に突出している。
【００６１】
細長貫通孔２５は、本体部３９をこの厚さ方向に貫通しており、本体部３９の左右方向の中央部で上下方向に長く延びて設けられている。
【００６２】
さらに説明すると、細長貫通孔２５は、中央の細長貫通孔２５Ａと左側の細長貫通孔２５Ｂと右側の細長貫通孔２５Ｃとで構成されている。各細長貫通孔２５Ａ，２５Ｂ，２５Ｃは、お互いが僅かに離れ平行になって上下方向に延伸している。
【００６３】
本体部３９の左右方向の両端部と帯状部４１の左右方向の両端部には、貫通孔で構成された被係止部４５が設けられている。そして、被係止部４５を帽体３の係止部３６の係止させることで、シールド部材ガイド体７が帽体３に一体的に設置されるようになっている。
【００６４】
シールド部材ガイド体７が帽体３に設置された状態では、本体部３９は、帽体３の内側で、帽体３の前側の内面に沿って展開しており、シールド部材５が、帽体３と本体部３９と間の空間内に入り込むことで、帽体３内に収容されるようになっている。また、本体部３９と各帯状部４１の下端縁が、帽体３の開口部３５の前側の縁の近傍で縁の沿って存在している。
【００６５】
本体部３９の左右方向の両端側には、ハンモック１５を係止するための一対のハンモック係止部５１が設けられている。
【００６６】
本体部３９に設けられている中央の細長貫通孔２５Ａは、この幅（左右方向の寸法）が一定の小さな値になっているスリット状に形成されているが、左右の細長貫通孔２５Ｂ，２５Ｃは、この幅（左右方向の寸法）が変化している。
【００６７】
すなわち、左側の細長貫通孔２５Ｂも、この幅（左右方向の寸法）が一定の小さな値になっているスリット状に形成されているが、左側の細長貫通孔２５Ｂには、拡張部位５３，５５が設けられている。拡張部位５３は、左側の細長貫通孔２５Ｂの長手方向（上下方向）の中間部で、中央の細長貫通孔２５Ａ側に凹んで設けられている。拡張部位５５は、左側の細長貫通孔２５Ｂの長手方向（上下方向）の下端部で、中央の細長貫通孔２５Ａ側とは反対側に凹んで設けられている。拡張部位５３，５５が設けられている箇所では、左側の細長貫通孔２５Ｂの幅が広くなっている。
【００６８】
右側の細長貫通孔２５Ｃは、左右方向でシールド部材ガイド体７の中心に対して対称になっている。
【００６９】
拡張部位５３は、シールド部材設置体９をシールド部材ガイド体７に設置しやすくするためのものであり、拡張部位５５は、操作部１１を操作しやすくするためのものである。
【００７０】
シールド部材設置体９も樹脂等の材料で一体成形されている。シールド部材設置体９のおおまかな外径形状は直方体状になっている。
【００７１】
シールド部材設置体９のベース部２７は矩形な板状に形成されている。ベース部２７には、右端切り欠き５７Ａ、右側中央切り欠き５７Ｂ、左側中央切り欠き５７Ｃ、左端切り欠き５７Ｄが形成されている。これらの切り欠き５７Ａ，５７Ｂ，５７Ｃ，５７Ｄは、ベース部２７をこの厚さ方向で貫通しており、これらの各切り欠き５７Ａ，５７Ｂ，５７Ｃ，５７Ｄが形成されていることで、ベース部２７に一対の弾性アーム１９が形成されている。右側の弾性アーム１９は、ベース部２７の中央部から右下方に向かって延びている。
【００７２】
右側の弾性アーム１９の先端部には、操作部１１とシールド部材着脱係合部３３とが設けられている。操作部１１は、右側の弾性アーム１９の先端から右後方に向かって突出している。シールド部材着脱係合部３３は、右側の弾性アーム１９の先端から前方に向かって突出している。
【００７３】
左側の弾性アーム１９は、左右方向でベース部２７の中心に対して右側の弾性アーム１９と対称になっており、左側の弾性アーム１９の先端部には、右側の弾性アーム１９と同様にして対称に、操作部１１とシールド部材着脱係合部３３とが設けられている。
【００７４】
シールド部材着脱係合部３３には、斜面５９が形成されている。斜面５９は、シールド部材設置体（帽体３に設置されているシールド部材設置体）７に設置されているシールド部材設置体９に、シールド部材５を設置するときに、シールド部材５の被係止部２３の先端側部位２２に形成されている斜面６１が当接する箇所である（図１０参照）。この当接によって、一対の弾性アーム１９が、矢印Ａ２の方向に弾性変形し（図８（ｃ）の参照符号６７参照）、シールド部材５をシールド部材ガイド体７に設置されているシールド部材設置体９に設置できるようになっている（図１１参照）。
【００７５】
また、前述したように、弾性アーム１９には、シールド部材５をシールド部材ガイド体７とシールド部材設置体９とに設置するためのつめ（シールド部材着脱係合部）３３であって前記設置をしたときにシールド部材５に係合するつめ３３が設けられている。つめ３３は、前記設置がされているシールド部材１３が外れにくいようにするために、２段折れ形状になっている。
【００７６】
すなわち、つめ３３は、図８（ｄ）で示すように、基端側部位８１と先端側部位８３とで構成されている。基端側部位８１の上側の端面８５は、上下方向に対して直交する方向に展開しているが、先端側部位８３の上側の端面８７は、斜めに傾いており、基端側部位８１から離れるにしたがって上方に向かっている。
【００７７】
これにより、つめ３３の、シールド部材５の先端側部位２２と係合する箇所が、お互いが交差している２つの平面８５，８７で構成されており、つめ３３が２段折れ形状になっている。
【００７８】
ベース部２７の厚さ方向の一方の面（後側の面）からは、壁部２９が所定の高さだけ突出している。壁部２９は、右側の壁部２９Ａ、中央の壁部２９Ｂ、左側の壁部２９Ｃで構成されている。
【００７９】
中央壁部２９Ｂは細長い矩形な板状に形成されており、厚さ方向が左右方向になるようにして、ベース部２７の左右方向の中央部でベース部２７の上下方向のほぼ全長にわたり長く延びている。右側壁部２９Ａも、細長い直方体状に形成されており、ベース部２７の左右方向の右端上方でベース部２７の上下方向に長く延びている。なお、右側壁部２９Ａは、上下方向では、中央壁部２９Ｂよりも短く、ベース部２７の上端から中間部（右端切り欠き５７Ａのところ）にわたって形成されている。左側壁部２９Ｃは、左右方向でベース部２７の中心に対して右側壁部２９Ａと対称になっている。
【００８０】
押え部３１は、各壁部２９の先端（前後方向前端）に設けられている。押え部３１は、右側の押え部３１Ａ、中央の押え部３１Ｂ、左側の押え部３１Ｃで構成されている。
【００８１】
中央押え部３１Ｂは、細長い矩形な板状に形成されており、厚さ方向が前後方向になるようにして、中央壁部２９Ｂの先端に設けられている。左右方向で中央壁部２９Ｂの中心と中央押え部３１Ｂの中心とはお互いが一致している。中央押え部３１Ｂは、中央壁部２９Ｂから左右方向両側に突出している。また、中央押え部３１Ｂの長さは、中央壁部２９Ｂよりも僅かに長くなっており、この長くなっている分が、中央壁部２９Ｂよりも下方に延出している。
【００８２】
右側押え部３１Ａも、細長い矩形な板状に形成されており、厚さ方向が前後方向になるようにして、右側壁部２９Ａの先端に設けられている。右側押え部３１Ａは、右側壁部２９Ａから左側に突出している。また、右側押え部３１Ａの長さは、中央壁部２９Ｂよりも短く右側壁部２９Ａよりも長くなっており、この長くなっている分が、右側壁部２９Ａよりも下方に延出している。左側押え部３１Ｃは、左右方向でベース部２７の中心に対して右側押え部３１Ａと対称になっている。
【００８３】
なお、図８（ｂ），（ｃ）で示すように、シールド部材設置体９を上下方向から見ると、ベース部２７は、前側に僅かに凸な大きい曲率半径の円弧状になっている。各壁部２９Ａ，２９Ｂ，２９Ｃの突出量（前後方向の寸法）はお互いが等しくなっている。これにより、左右の押え部３１Ａ，３１Ｃは、中央押え部３１Ｂよりも僅かに後側に位置している。
【００８４】
また、シールド部材設置体９には一対のガイド突起６３が設けられている。右側のガイド突起６３は、右側壁部２９Ａから右方に突出している。また、右側のガイド突起６３は、上下方向では上側に位置し、前後方向では右側押え部３１Ａよりも僅かに後方に位置している。
【００８５】
これらの形態（ベース部２７が前側に僅かに凸な大きい曲率半径の円弧状になっている等の形態）は、帽体３が球殻状に湾曲しており、帽体３に設置されたシールド部材ガイド体７が帽体３に倣って湾曲していることに合致させるためである。
【００８６】
ハンモック１５も樹脂等の材料で一体成形されている。ハンモック１５は、帽体３の後側の２つの係止部３６と、シールド部材ガイド体７の２つのハンモック係止部４７とによって、帽体３（シールド部材ガイド体７）に一体的に設置されている。また、ハンモック１５は、帽体３およびシールド部材ガイド体７の内側に設置されている。保護帽１のハンモック１５は、保護帽１を着用者が被った場合、着用者の頭に直接接触するものである（図２参照）。
【００８７】
ここで、シールド部材ガイド体７を用いたシールド部材５の帽体３への設置について説明する。
【００８８】
初期状態では、図４で示すように、帽体３内にシールド部材ガイド体７が設置されており、シールド部材ガイド体７のカバー部１３が退避位置Ｐ４に位置しているものとする。ただし、初期状態では、図４で示す状態とは異なり、シールド部材設置体９やシールド部材５が、シールド部材ガイド体７に設置されていないものとする。
【００８９】
上記初期状態で、左右の細長貫通孔２５Ｂ，２５Ｃの拡張部位５３のところを利用し、各細長貫通孔２５の間に形成されている細長部位６５を弾性変形させつつ、シールド部材設置体９をシールド部材ガイド体７に設置する。
【００９０】
この設置がされた状態では、図２や図４等で示すように、シールド部材設置体９のベース部２７（弾性アーム１９、操作部１１を含む）が、シールド部材ガイド体７の後方に存在している。また、上記設置状態では、各壁部２９のそれぞれとシールド部材着脱係合部３３とが、シールド部材設置体９の各細長貫通孔２５を通り、各壁部２９の先端部と各押え部３１とシールド部材着脱係合部３３の先端部とが、シールド部材設置体９よりも前側に突出している。また、上記設置状態では、弾性アーム１９が下側に位置し、左右の各壁部２９Ａ，２９Ｃが上側に位置している。
【００９１】
シールド部材設置体９のシールド部材ガイド体７への設置がなされた後、図１０で示すように、シールド部材５をシールド部材ガイド体７の前面に被せるようにするとともに、シールド部材５の被係止部２３をシールド部材設置体９のシールド部材着脱係合部３３の下側に位置させる。このとき、シールド部材設置体９を、各細長貫通孔２５の長手方向の中間部に位置させてあってもよいが、各細長貫通孔２５の長手方向の下端（帽体３の開口部３５側）に位置させておくことが望ましい。
【００９２】
続いて、シールド部材設置体９とシールド部材ガイド体７とに対して、シールド部材５を上方に移動させると、被係止部２３の先端側部位２２の斜面６１が、シールド部材着脱係合部３３の斜面５９に当接して、シールド部材着脱係合部３３を押圧する。
【００９３】
この押圧によって、一対の弾性アーム１９のそれぞれに、図８（ｃ）に矢印Ａ２で示す捻りモーメントが発生し、一対の弾性アーム１９のそれぞれが弾性変形し、シールド部材着脱係合部３３が左右方向の外側であって後側に移動する（図８（ｃ）に参照符号６７で示すように移動する）。このとき、弾性アーム１９のそれぞれは、主に捻りモーメントで弾性変形するが、捻りモーメントのみで弾性変形するのではなく、曲げモーメントによっても弾性変形する。
【００９４】
シールド部材設置体９とシールド部材ガイド体７とに対して、シールド部材５をさらに上方に移動させると、被係止部２３がシールド部材着脱係合部３３から外れて、弾性アーム１９のそれぞれが復元する（図１１等参照）。これにより、シールド部材５が、シールド部材設置体９とシールド部材ガイド体７とに設置される（シールド部材設置完了状態になる）。
【００９５】
続いて、連結部４３のところで折り曲げることで、カバー部１３の被係止部５１をカバー部係止部４９に係合させて、図３で示すように、シールド部材設置体９や各細長貫通孔２５を覆うことで、シールド部材設置体９を用いたシールド部材５のシールド部材ガイド体７への設置が終了する。
【００９６】
シールド部材設置完了状態では、図１１で示すように、上下方向において、被係止部２３の先端側部位２２が、左右のシールド部材着脱係合部３３と左右の壁部２９Ａ，２９Ｃとに挟まれて、シールド部材５がシールド部材設置体９に対して、上下方向で移動できないようになっている。
【００９７】
また、シールド部材設置完了状態では、前後方向において、シールド部材ガイド体７と被係止部２３とが、ベース部２７と各押え部３１と各ガイド突起６３とによって挟み込まれて、シールド部材５とシールド部材設置体９とが、シールド部材ガイド体７とに対して、前後方向で移動できないようになっている。
【００９８】
また、シールド部材設置完了状態では、左右方向において、各壁部２９のそれぞれが各細長貫通孔２５のそれぞれに入り込んでおり、また、中央壁部２９Ｂが一対の被係止部２３の間に入り込んでおり、左側の被係止部２３Ａが中央壁部２９Ｂと左側壁部２９Ｃとで挟み込まれており、右側の被係止部２３Ｂが中央壁部２９Ｂと右側壁部２９Ａとで挟み込まれている。これにより、シールド部材５とシールド部材設置体９とが、シールド部材ガイド体７とに対して、左右方向で移動できないようになっている。
【００９９】
また、シールド部材設置完了状態では、各壁部２９とシールド部材着脱係合部３３とが細長貫通孔２５にガイドされ、シールド部材５とシールド部材設置体９とが、細長貫通孔２５の長手方向でのみ移動できるようになっている。
【０１００】
これにより、シールド部材５が、この姿勢をほとんど変えることなく一定の状態に保ったままで、被覆位置Ｐ１と収容位置Ｐ２との間を移動することができるようになっている。
【０１０１】
次に、シールド部材設置完了状態からシールド部材５を取り外す場合について説明する。
【０１０２】
まず、図３に示す状態から、連結部４３のところの折り曲げ状態を戻してある程度延ばすことで、カバー部１３を退避位置Ｐ４に位置させ、シールド部材設置体９とシールド部材５とを、シールド部材５が被覆位置Ｐ１に位置している図３の状態から下方に移動させて図４に示す状態にする。
【０１０３】
続いて、一対の操作部１１に、左右方向の中心側に向かう力（図８（ｃ）に矢印Ａ１で示す力）を指で加えると。シールド部材５を設置する場合と同様にして、各弾性アーム１９が弾性変形し、各シールド部材着脱係合部３３が図８（ｃ）に参照符号６７で示す位置に移動する。この移動している状態で、シールド部材５をシールド部材設置体９やシールド部材ガイド体７に対して下方に移動することで、シールド部材５がシールド部材設置体９やシールド部材ガイド体７から取り外される。
【０１０４】
なお、上述したシールド部材５の設置と取り外しとは、ハンモック１５を取り外すことなく、ハンモック１５が設置されている状態でもなされる。
【０１０５】
また、シールド部材設置体９によってシールド部材５がシールド部材ガイド体７に設置されている状態から、操作部１１を着用者が操作することでシールド部材５をシールド部材ガイド７体およびシールド部材設置体９から取り外したときでも、シールド部材設置体９は、シールド部材ガイド体７から外れてしまうことなくシールド部材ガイド体７に係合し続けるように構成されている。
【０１０６】
すなわち、シールド部材ガイド体７の細長貫通孔２５をシールド部材設置体９のスライド脚（壁部）２９が通過し、シールド部材ガイド体７の細長部位６５をシールド部材設置体９のベース部２７と押さえ部３１とで挟んでいることで、シールド部材５を取り外したときでも、シールド部材設置体９がシールド部材ガイド体７から離れることなく、シールド部材ガイド体７につきしたがい係合し続ける。
【０１０７】
保護帽１によれば、シールド部材５をシールド部材ガイド体７やシールド部材設置体９から取り外す場合、シールド部材ガイド体７よりも内側（着用者の頭部側）に突出している操作部１１を保護帽１の着用者が操作すればよいので、従来の保護帽のようにシールド部材設置体（ロック部材）の操作がしずらいことはなく、シールド部材５を帽体３（シールド部材ガイド体７）から取り外すことが容易になっている。
【０１０８】
また、簡易形状のシールド部材を帽体（ガイド板）から取り付け取り外しすることが容易であることに加え、スライド脚２９がシールド部材ガイド体７から脱落しづらくなっている。
【０１０９】
また、保護帽１によれば、シールド部材ガイド体７にシールド部材設置体９を覆うカバー部１３が設けられているので、シールド部材５の移動にともなってシールド部材設置体９が帽体３に対して動いても、シールド部材設置体９（特に突出している操作部１１）に着用者の髪の毛が巻き込まれることがなくなる。
【０１１０】
また、保護帽１によれば、シールド部材５が被覆位置Ｐ１に位置しているときに、帽体３とハンモック１５との間の間隙１７を通して保護帽１の着用者が操作部１１を操作できるので、ハンモック１５を帽体３に設置したままでシールド部材５の取り外しをすることができ、シールド部材５の取り外しを一層容易に行うことができる。
【０１１１】
また、上記従来の保護帽では、シールド部材を帽体（シールド部材ガイド体）から取り外す際、ロック部材（シールド部材設置体）の一部（片持ち梁状の部位）を曲げモーメントにより弾性変形させている（曲げている）。したがって、シールド部材設置体によってシールド部材がシールド部材ガイド体に設置されている状態でシールド部材に大きな力が加わると、ロック部材の上記一部が弾性変形してしまうことがあり、シールド部材がシールド部材ガイド体から外れるおそれがある。
【０１１２】
これに対して、保護帽１は、捻りモーメントにより弾性アーム１９を弾性変形させることで、シールド部材ガイド体７やシールド部材設置体９からシールド部材５を取り外せるように構成されているので、シールド部材５に大きな力が加わっても、弾性アーム１９が捻りの弾性変形をすることはほとんど無く、シールド部材５がシールド部材ガイド体７から外れるおそれがほとんど無くなる。
【０１１３】
また、保護帽１によれば、シールド部材着脱係合部（つめ）３３が２段折れ形状になっているので、シールド部材５を外れにくい態様で設置することができる。
【０１１４】
すなわち、図８（ｄ）において、端面８７が斜めに傾いておらず端面８５が延長された形態になっていると、シールド部材５を強引に引っ張ったり保護帽１を落下したりしたことで、図１１で示すように保持されたシールド部材５の先端側部位２２が、前後方向（より正確には図１１で示す矢印Ａ１１の方向；先端側部位２２の厚さ方向であってシールド部材ガイド体７から離れる方向）に跳ね上がり、シールド部材５の先端側部位２２が、シールド部材設置体９から外れてしまう。
【０１１５】
しかし、保護帽１では、端面８７が斜めに傾いているので、先端側部位２２の跳ね上がりを防止することができる。
【０１１６】
ところで、上述したシールド部材設置体を、図１５〜図１７で示すように変形してもよい。
【０１１７】
図１５〜図１７で示すシールド部材設置体９ａには、シールド部材５に固着するためのつめ７１を備えた弾性アーム１９ａが設けられている。つめ（シールド部材着脱係合部）７１は三角形状に形成されており、シールド部材５の被係止部２３に係合し、シールド部材５を支持するようになっている。
【０１１８】
また、弾性アーム１９ａは「Ｌ」字状になっており、つめ７１は、弾性アーム１９ａにおけるベース部２７側の直線状の部位の中間部（長手方向の中間部）に設けられている。
【０１１９】
そして、操作部１１を着用者が操作して操作部１１に所定方向の力を加えることで、弾性アーム１９ａに捻りモーメントが発生して弾性アーム１９ａが弾性変形し、シールド部材５がシールド部材ガイド体７およびシールド部材設置体９ａから取り外しできる取り外し可能状態になるように構成されている。
【０１２０】
さらに、シールド部材設置体９，９ａでは、スライド脚２９をシールド部材設置体９，９ａのみで構成して（スライド脚２９をシールド部材５に設けること無く、シールド部材設置体９，９ａの一部として構成して）、シールド部材５の固着部形状を簡易にしている。
【０１２１】
なお、図１５〜図１７で示すシールド部材設置体９ａにおいて、図８で示す場合と同様に、つめ７１を２段折れ形状にしてもよい。
【０１２２】
すなわち、つめ７１を、図１８で示すように、基端側部位８９と先端側部位９１とで構成してもよい。基端側部位８９の下側の端面９３は、上下方向（弾性アーム１９ａ）に対して僅かに傾いて展開しており（上下方向に対して直交する方向に展開していてもよい）。先端側部位９１の下側の端面９５は、上下方向（弾性アーム１９ａ）に対して端面９３よりも大きい角度傾いている。
【０１２３】
なお、ヘルメット１は、保護帽としても軽作業帽としても採用してもよい。
【０１２４】
保護帽とは頭部損傷、あるいは頭部感電による危険を防止または軽減するために使用される保護具で、厚生労働省が定める労働安全衛生法第４２条の規定に基づく「保護帽の規格」に適合したものである。また、労働安全衛生法で、保護帽の着脱に関する義務・規則を事業者と労働者双方に定められているもので、さらに、労働安全衛生規則等により、規定された作業を行うときは、物体の飛来又は落下による労働者の危険を防止するため、事業者が当該作業に従事する労働者に着用させなければならないものである。
【０１２５】
また、軽作業帽とは保護帽の規格を満足しないもので、労働安全衛生規則等により、事業者が、保護帽の着用規定のある作業を行うとき以外の作業（物体の飛来落下や墜転落の恐れのない作業場所）において、頭部をぶつける・切るといった災害が発生するような場面において頭を守るために使用されるものである。
【符号の説明】
【０１２６】
１  ヘルメット（保護帽）
３  帽体
５  シールド部材
７  シールド部材ガイド体
９、９ａ  シールド部材設置体
１１  操作部
１３  カバー部
１５  ハンモック
１７  間隙
１９、１９ａ  弾性アーム
２９  スライド脚
７１  つめ
Ｐ１  被覆位置
Ｐ２  収容位置
【図１】
2014159659.tif 000003
【図２】
2014159659.tif 000004
【図３】
2014159659.tif 000005
【図４】
2014159659.tif 000006
【図５】
2014159659.tif 000007
【図６】
2014159659.tif 000008
【図７】
2014159659.tif 000009
【図８】
2014159659.tif 000010
【図９】
2014159659.tif 000011
【図１０】
2014159659.tif 000012
【図１１】
2014159659.tif 000013
【図１２】
2014159659.tif 000014
【図１３】
2014159659.tif 000015
【図１４】
2014159659.tif 000016
【図１５】
2014159659.tif 000017
【図１６】
2014159659.tif 000018
【図１７】
2014159659.tif 000019
【図１８】
2014159659.tif 000020